(57)【要約】  伝送用無線リソースを計画するための、ネットワークノードによって行われる方法が提供される。ネットワークノードは、無線デバイスが同じひとつ以上のアクセスポイントによって常に担当されることを含む固定であることを確立する（３０１）。ネットワークノードは、無線デバイスのＩＤと、ネットワークノードと無線デバイスとの間の伝送のために用いられる関連パラメータと、を含む設定を取得する（３０２）。パラメータは、無線デバイスを担当するひとつ以上のアクセスポイントのＩＤを含む。パラメータはさらに、以下のうちの任意のひとつ以上を含む：ネットワークノードと無線デバイスとの間の伝送についての、時刻および周期性。設定に基づいて、ネットワークノードは、ネットワークノードと任意の無線デバイスとの間の後の伝送のために、ネットワークノードで利用可能な無線リソースを計画する（３０３）。【選択図】図３
2020530221.tif 000002
【特許請求の範囲】
【請求項１】
伝送用無線リソースを計画するための、ネットワークノード（１１０、１３０）によって行われる方法であって、前記方法は、
無線デバイス（１２０）が同じひとつ以上のアクセスポイントによって常に担当されることを含む固定であることを確立すること（３０１）と、
前記無線デバイス（１２０）のＩＤと、前記ネットワークノード（１１０）と前記無線デバイス（１２０）との間の伝送のために用いられる関連パラメータと、を含む設定を取得すること（３０２）であって、当該パラメータが前記無線デバイス（１２０）を担当する前記ひとつ以上のアクセスポイントのＩＤと、前記ネットワーク（１１０）と前記無線デバイス（１２０）との間の伝送のための時刻および周期性のうちの任意のひとつ以上と、を含む、取得することと、
前記設定に基づいて、前記ネットワークノード（１１０）と任意の無線デバイス（１２０、１２２）との間の後の伝送のために、前記ネットワークノード（１１０）で利用可能な無線リソースを計画すること（３０３）と、を含む方法。
【請求項２】
前記パラメータがさらに以下のうちの任意のひとつ以上を含む請求項１に記載の方法：
タイミングアドバンス、ＴＡ、値、
サービス品質、
優先度、および
専用リソース必要性。
【請求項３】
前記無線デバイス（１２０）が固定無線デバイス（１２０、１２２）のグループに含まれており、前記パラメータがさらに、固定無線デバイス（１２０、１２２）の前記グループのＩＤを含む請求項１または２に記載の方法。
【請求項４】
固定無線デバイス（１２０、１２２）の前記グループ内の前記無線デバイス（１２０）のＵＬ伝送を測定することによって前記ＴＡ値が得られ、前記ＴＡ値が固定無線デバイス（１２０、１２２）の前記グループ内の全ての前記無線デバイスに適用される請求項３に記載の方法。
【請求項５】
固定無線デバイス（１２０、１２２）の前記グループ内の任意のひとつの無線デバイスから前記ＴＡ値が得られ、当該ＴＡ値は、前記無線デバイス（１２０）の正確な地理的位置が、システム情報、ＳＩ、で報知されるＴＡ値にマッピングされることに基づく請求項３に記載の方法。
【請求項６】
固定無線デバイス（１２０、１２２）の前記グループ内の他の無線デバイス（１２０、１２２）に対して、固定無線デバイス（１２０、１２２）の同じグループ内の他の無線デバイス１２０、１２２について用いられるべき前記取得されたＴＡ値を、示すこと（３０４）をさらに含む請求項５に記載の方法。
【請求項７】
前記ネットワークノード（１１０）において利用可能な無線リソースを計画すること（３０３）が、ランダムアクセス、ユーザデータのスケジューリング、およびページングメッセージのうちの任意のひとつ以上についてリソース消費を最適化することを含む請求項１から６のいずれか一項に記載の方法。
【請求項８】
前記無線デバイス（１２０）が固定であることを確立すること（３０１）が、さらに、前記無線デバイス（１２０）が、ＮＢ−ＩｏＴデバイス、ｅＭＴＣデバイス、ＣＡＴ−Ｍデバイス、ＷｉＦｉデバイス、ＬＴＥデバイス、およびＮＲデバイスのうちの任意のひとつ以上であることを確立すること含む請求項１から７のいずれか一項に記載の方法。
【請求項９】
アプリケーションにおけるアプリケーションレイヤに、前記無線デバイス（１２０）が固定無線デバイスであることを示すこと（３０６）であって、当該アプリケーションがクラウド（１４０）およびオペレータの専用サーバのうちのいずれかで実行されており、当該アプリケーションは、前記クラウド（１４０）および前記専用サーバのうちのいずれかのオペレータが、前記無線デバイス（１２０）にセンサをインストールすることおよび／または前記無線デバイス（１２０）から測定を取得することを可能とする、示すことをさらに含む請求項１から８のいずれか一項に記載の方法。
【請求項１０】
コンピュータプログラムであって、インストラクションを備え、該インストラクションはプロセッサによって実行された場合、前記プロセッサに請求項１から９のいずれか一項に記載の動作を実行させるコンピュータプログラム。
【請求項１１】
請求項１０に記載のコンピュータプログラムを含むキャリアであって、前記キャリアは電気信号、光学信号、電磁気信号、磁気信号、電場信号、無線信号、マイクロ波信号、またはコンピュータ可読ストレージ媒体のうちのひとつであるキャリア。
【請求項１２】
伝送用無線リソースを計画するためのネットワークノード（１１０、１３０）であって、前記ネットワークノード（１１０、１３０）は、
無線デバイス（１２０）が同じひとつ以上のアクセスポイントによって常に担当されることを含む固定であることを確立することと、
前記無線デバイス（１２０）のＩＤと、前記ネットワークノード（１１０）と前記無線デバイス（１２０）との間の伝送のために用いられる関連パラメータと、を含む設定を取得することであって、当該パラメータが前記無線デバイス（１２０）を担当する前記ひとつ以上のアクセスポイントのＩＤと、前記ネットワーク（１１０）と前記無線デバイス（１２０）との間の伝送のための時刻および周期性のうちの任意のひとつ以上と、を含む、取得することと、
前記設定に基づいて、前記ネットワークノード（１１０）と任意の無線デバイス（１２０、１２２）との間の後の伝送のために、前記ネットワークノード（１１０）で利用可能な無線リソースを計画することと、を行うよう構成されるネットワークノード（１１０、１３０）。
【請求項１３】
前記パラメータがさらに以下のうちの任意のひとつ以上を含むよう適合される請求項１２に記載のネットワークノード（１１０、１３０）：
タイミングアドバンス、ＴＡ、値、
サービス品質、
優先度、および
専用リソース必要性。
【請求項１４】
前記無線デバイス（１２０）が固定無線デバイス（１２０、１２２）のグループに含まれるよう適合されており、前記パラメータがさらに、固定無線デバイス（１２０、１２２）の前記グループのＩＤを含む請求項１２または１３に記載のネットワークノード（１１０、１３０）。
【請求項１５】
固定無線デバイス（１２０、１２２）の前記グループ内の前記無線デバイス（１２０）のＵＬ伝送を測定することによって前記ＴＡ値が得られるよう適合され、前記ＴＡ値が固定無線デバイス（１２０、１２２）の前記グループ内の全ての前記無線デバイスに適用されるよう適合される請求項１４に記載のネットワークノード（１１０、１３０）。
【請求項１６】
前記無線デバイス（１２０）から前記ＴＡ値が得られるよう適合され、当該ＴＡ値は、前記無線デバイス（１２０）の正確な地理的位置が、システム情報、ＳＩ、で報知されるＴＡ値にマッピングされることに基づく請求項１４に記載のネットワークノード（１１０、１３０）。
【請求項１７】
固定無線デバイス（１２０、１２２）の前記グループ内の他の無線デバイス（１２０、１２２）に対して、固定無線デバイス（１２０、１２２）の同じグループ内の他の無線デバイス１２０、１２２について用いられるべき前記取得されたＴＡ値を、示すことを行うようさらに構成される請求項１６に記載のネットワークノード（１１０、１３０）。
【請求項１８】
前記ネットワークノード（１１０、１３０）がさらに、前記ネットワークノード（１１０）において利用可能な無線リソースを計画するよう構成され、これが、ランダムアクセス、ユーザデータのスケジューリング、およびページングメッセージのうちの任意のひとつ以上についてリソース消費を最適化することを含む請求項１２から１７のいずれか一項に記載のネットワークノード（１１０、１３０）。
【請求項１９】
前記ネットワークノード（１１０、１３０）がさらに、前記無線デバイス（１２０）が、ＮＢ−ＩｏＴデバイス、ｅＭＴＣデバイス、ＣＡＴ−Ｍデバイス、ＷｉＦｉデバイス、ＬＴＥデバイス、およびＮＲデバイスのうちの任意のひとつ以上であることを確立するよう構成される請求項１２から１８のいずれか一項に記載のネットワークノード（１１０、１３０）。
【請求項２０】
アプリケーションにおけるアプリケーションレイヤに、前記無線デバイス（１２０）が固定無線デバイスであることを示すようさらに構成され、当該アプリケーションがクラウド（１４０）および専用サーバのうちのいずれかで実行されており、当該アプリケーションは、前記クラウド（１４０）および前記専用サーバのうちのいずれかのオペレータが、前記無線デバイス（１２０）にセンサをインストールすることおよび／または前記無線デバイス（１２０）から測定を取得することを可能とする請求項１２から１９のいずれか一項に記載のネットワークノード（１１０、１３０）。
【発明の詳細な説明】
【背景技術】
【０００１】
典型的な無線通信ネットワークでは、無線通信デバイス、移動局、局（ＳＴＡ）、および／またはユーザ機器（ＵＥ）としても知られる無線デバイスはＷｉＦｉネットワークまたは無線アクセスネットワーク（ＲＡＮ）などのローカルエリアネットワークを介して１つまたは複数のコアネットワーク（ＣＮ）と通信する。ＲＡＮは、ビームまたはビームグループとも呼ばれるサービスエリアまたはセルエリアに分割される地理的エリアをカバーし、各サービスエリアまたはセルエリアは、無線アクセスノード（たとえば、Ｗｉ−Ｆｉアクセスポイントまたは無線基地局（ＲＢＳ）など）などの無線ネットワークノードによって担当され、いくつかのネットワークでは、たとえば、５Ｇで示されるノードＢ、ｅＮｏｄｅＢ（ｅＮＢ）、またはｇＮＢと呼ばれることもある。サービスエリアまたはセルエリアは、無線カバレッジが無線ネットワークノードによって提供される地理的エリアである。無線ネットワークノードは、無線ネットワークノードの範囲内の無線デバイスと、無線周波数で動作するエアインターフェースを介して、通信する。
【０００２】
第４世代（４Ｇ）ネットワークとも呼ばれるエバルブドパケットシステム（ＥＰＳ）の仕様は第３世代パートナーシッププロジェクト（３ＧＰＰ）内で完了しており、この作業は例えば、第５世代（５Ｇ）ネットワーク（５Ｇニューラジオ（ＮＲ）とも称される）を指定するために、来るべき３ＧＰＰリリースにおいて継続する。ＥＰＳは、ロングタームエボリューション（ＬＴＥ）無線アクセスネットワークとしても知られる発展型ユニバーサル地上無線アクセスネットワーク（Ｅ−ＵＴＲＡＮ）と、システムアーキテクチャエボリューション（ＳＡＥ）コアネットワークとしても知られる発展型パケットコア（ＥＰＣ）と、を含む。Ｅ−ＵＴＲＡＮ／ＬＴＥは、無線ネットワークノードが３Ｇネットワークで用いられるＲＮＣにではなくＥＰＣコアネットワークに直接接続される３ＧＰＰ無線アクセスネットワークの変形である。一般に、Ｅ−ＵＴＲＡＮ／ＬＴＥでは、３ＧのＲＮＣの機能は、無線ネットワークノード、例えば、ＬＴＥにおけるｅＮｏｄｅＢ、とコアネットワークとの間で分散される。したがって、ＥＰＳのＲＡＮは、１つまたは複数のコアネットワークに直接接続された、すなわちＲＮＣに接続されていない、無線ネットワークノードを備える本質的に「フラット」なアーキテクチャを有する。これを補償するために、Ｅ−ＵＴＲＡＮ仕様は無線ネットワークノード間の直接インタフェースを定義し、このインタフェースはＸ２インタフェースと呼ばれる。
【０００３】
マルチアンテナ技術は、無線通信システムのデータレートおよび信頼性を顕著に増大させうる。送信器および受信器の両方が複数のアンテナを備える場合、すなわち複数入力複数出力（ＭＩＭＯ）通信チャネルが実現する場合、性能が特に改善する。そのようなシステムおよび／または関連技術はＭＩＭＯと総称される。
【０００４】
ピークインターネット接続速度の高速化に加えて、５Ｇ計画は、現在の４Ｇよりも高い容量を目指し、それにより、エリア単位当たりのモバイルブロードバンドユーザの数をより多くすることを可能にし、月当たりおよびユーザ当たりのギガバイト単位のより高いまたは無制限のデータ量の消費を可能にすることを目指す。このため、Ｗｉ−Ｆｉホットスポットの範囲外にある場合、人口の大部分が、モバイル端末を使って１日何時間も高精細なメディアをストリームすることが可能になる。５Ｇの研究開発はまた、４Ｇ機器よりも低コスト、低バッテリ消費、および低レイテンシを目指して、物のインターネット化としても知られている、機械間通信の改善されたサポートを目指している。
【０００５】
３ＧＰＰ  Ｒｅｌｅａｓｅ−１３は、狭帯域物のインターネット化（ＮＢ−ＩｏＴ）と名付けられた新しい無線アクセス技術を定義する。ＮＢ−ＩｏＴは主に、メータおよびセンサなどの低スループット、遅延耐性アプリケーションのために定義される。これは、１８０ｋＨｚの帯域幅でちょうど１０ｋｂｐｓのデータレートを可能にし、深いカバレッジを提供することができる。ＮＢ−ＩｏＴは既存のＬＴＥバンド内、２つの通常のＬＴＥキャリア間のガードバンド内に展開され、または再開拓されたＧＳＭ、２：第２世代／ジェネラルパケット無線サービス（２Ｇ／ＧＰＲＳ）スペクトルへの容易な移行経路を提供するスタンドアローンモード内に展開されうる。
【０００６】
ＮＢ−ＩｏＴ技術は１８０ｋＨｚ帯域幅の周波数帯域を占有し、これは、ＬＴＥ伝送における１つのリソースブロックに対応する。減少したチャネル帯域幅のために、ほとんどの物理チャネルは、以下のように再設計されている：狭帯域プライマリ同期信号および／または狭帯域セカンダリ同期信号（ＮＰＳＳ／ＮＳＳＳ）、狭帯域物理報知チャネル（ＮＰＢＣＨ）、狭帯域基準信号（ＮＲＳ）、狭帯域物理ダウンリンク制御チャネル（ＮＰＤＣＣＨ）。図１のＮＢ−ＩｏＴ物理リソースブロック（ＰＲＢ）の例を参照する。ｘ軸は時刻を表し、Ｙ軸はインバンド周波数を表す。
ＮＰＤＣＣＨ  （ＣＣＥ１）は垂直ストライプによってマークされ、ここで、ＣＣ１は制御チャネル要素である。
ＮＰＤＣＣＨ  （ＣＣＥ２）は右に傾斜した斜めのストライプによってマークされ、ここで、ＣＣ２は制御チャネル要素である。
ＮＲＳポート０は正方形によってマークされ、
ＮＲＳポート１は左傾斜対角ストライプによってマークされ、
ＬＴＥセル固有基準信号（ＣＲＳ）は水平ストライプによってマークされ、
ＬＴＥ物理ダウンリンク制御チャネル（ＰＤＣＣＨ）はドットによってマークされる。
【０００７】
異なる無線状態に対処するために、異なるカバレッジ拡張レベルが定義されている。典型的には、３つのカバレッジエンハンスメント（ＣＥ）レベル、ＣＥレベル０からＣＥレベル２、がある。ＣＥレベル０は通常のカバレッジに対応し、ＣＥレベル１および２は拡張カバレッジ領域に対応する。ＣＥレベル２は、カバレッジが非常に悪いと仮定される場合の、最も遠い拡張カバレッジである。さまざまなＣＥレベルの主な影響は、特にＣＥ２についてはメッセージを数回繰り返す必要があることである。ＲＰ−１７０７３２、「Ｎｅｗ  ＷＩ  ｏｎ  Ｄｒａｎｓｈ  ＮＢ−ＩｏＴ  ｅｎｈａｎｃｅｍｅｎｔｓ」（ＲＡＮ  ＃７５）を参照。
【０００８】
ＮＢ−ＩｏＴが目指すユースケースのいくつかは：
・スマートメータリング（電気・ガス・水道）
・住宅・商業施設の侵入警報器・火災警報器
・街灯、ゴミ箱などのスマートシティインフラ
・溶接機、エアコンプレッサ等の工業用機器接続。
【発明の概要】
【０００９】
本明細書の実施の形態を発展させる一部として、まず、課題が特定され、議論される。
【００１０】
上記のユースケースから、ほとんどのユースケースにおいて、ＵＥの大部分は静止している、例えば、壁に取り付けられる、または半静止している（例えば、窓の開閉時を判定するための窓上のセンサ）ことが明らかである。ＮＢ−ＩｏＴのＲｅｌｅａｓｅ−１５拡張作業項目は、固定の地理的静止位置を有する静止または半静止ＵＥの電力消費を節約することを主に試みる緩和的監視を導入した。このように、３ｇｐｐの標準化作業は、固定され、移動しないＵＥのためのＮＢ−ＩｏＴの性能を最適化するために進行中である。
【００１１】
ＮＢ−ＩｏＴキャリアの帯域幅が限られている、すなわち１８０ｋＨｚのため、リソースの利用可能性は限られている。さらに、無線信号が地下室等の深部に位置するメータ／センサに到達しなければならないという要件は、データを数回繰り返す必要があるので、リソースにさらなる制約を課す。
【００１２】
そのような場合、限られた利用可能なリソースの効率的な利用を管理するために、スマートソリューションが必要とされる。通信ネットワーク（ＮＷ）、例えば、アクセスポイント又はモビリティ管理エンティティ（ＭＭＥ）のようなネットワークノードが、必要とされるリソースの量、及び、例えば、トラフィックタイプの優先度を特定することができる場合、よく準備し、明確な無線リソース管理スキームを提示することができる。さらに、ネットワークノードなどのＮＷは、要件に基づいて、そのようなデバイスのデータスケジューリングを調整することができる。
【００１３】
したがって、現在の解決策に伴う課題は、ＮＷがどれだけのリソースが必要であるかを事前に認識しておらず、したがって、ＮＷは事前にリソース計画を実行することができないことである。
【００１４】
したがって、本明細書の実施の形態の目的はたとえば、ＮＢ  ＩｏＴ、拡張マシンタイプ通信（ｅＭＴＣ）、キャリア、またはロングタームエボリューションカテゴリＭ１（Ｃａｔ−Ｍ）などの無線通信ネットワークの性能を改善することである。
【００１５】
本明細書の実施の形態の第１の態様によると、伝送用無線リソースを計画するための、ネットワークノードによって行われる方法によって目的が達せられる。
【００１６】
ネットワークノードは、無線デバイスが同じひとつ以上のアクセスポイントによって常に担当されることを含む固定であることを確立する。
【００１７】
ネットワークノードは、無線デバイスのＩＤと、ネットワークノードと無線デバイスとの間の伝送のために用いられる関連パラメータと、を含む設定を取得する。パラメータは、無線デバイスを担当するひとつ以上のアクセスポイントのＩＤを含む。パラメータはさらに、以下のうちの任意のひとつ以上を含む：ネットワークノードと無線デバイスとの間の伝送についての、時刻および周期性。
【００１８】
設定における利用可能な情報などの設定に基づいて、ネットワークノードは、ネットワークノードと任意の無線デバイスとの間の後の伝送のために、ネットワークノードで利用可能な無線リソースを計画する。
【００１９】
本明細書の実施の形態の第２の態様によると、伝送用無線リソースを計画するためのネットワークノードによって目的が達せられる。ネットワークノードは以下を行うよう構成される：
−無線デバイスが同じひとつ以上のアクセスポイントによって常に担当されることを含む固定であることを確立すること。
−無線デバイスのＩＤと、ネットワークノードと無線デバイスとの間の伝送のために用いられる関連パラメータと、を含む設定を取得すること。パラメータは、無線デバイスを担当するひとつ以上のアクセスポイントのＩＤを含む。パラメータはさらに、以下のうちの任意のひとつ以上を含む：ネットワークノードと無線デバイスとの間の伝送についての、時刻および周期性。
−設定における利用可能な情報などの設定に基づいて、ネットワークノードと任意の無線デバイスとの間の後の伝送のために、ネットワークノードで利用可能な無線リソースを計画すること。
【図面の簡単な説明】
【００２０】
本明細書の実施の形態の例は、添付の図面を参照してより詳細に説明される。
【図１】従来技術を示す概略図である。
【図２】無線通信ネットワークの実施の形態を示す概略ブロック図である。
【図３】ネットワークノードにおける方法の実施の形態を示すフローチャートである。
【図４】ネットワークノードの実施の形態を示す概略ブロック図である。
【図５】本明細書の実施の形態を示すシグナリング図である。
【図６】本明細書の実施の形態を示すシグナリング図である。
【図７】実施の形態を示す概略ブロック図である。
【図８】中間ネットワークを介してホストコンピュータに接続された電気通信ネットワークを概略的に示す。
【図９】基地局を介して部分的に無線の接続を介してユーザ装置と通信するホストコンピュータの一般化されたブロック図である。
【図１０】図１０〜図１３は、ホストコンピュータ、基地局、およびユーザ装置を含む通信システムにおいて実施される方法を示すフローチャートである。
【図１１】図１０〜図１３は、ホストコンピュータ、基地局、およびユーザ装置を含む通信システムにおいて実施される方法を示すフローチャートである。
【図１２】図１０〜図１３は、ホストコンピュータ、基地局、およびユーザ装置を含む通信システムにおいて実施される方法を示すフローチャートである。
【図１３】図１０〜図１３は、ホストコンピュータ、基地局、およびユーザ装置を含む通信システムにおいて実施される方法を示すフローチャートである。
【発明を実施するための形態】
【００２１】
本明細書の実施の形態は、一般に無線通信ネットワークに関する。図２は、本明細書の実施の形態が実装されうる無線通信ネットワーク１００を示す概略図である。無線通信ネットワーク１００は、１つまたは複数のＲＡＮおよび１つまたは複数のＣＮを備える。無線通信ネットワーク１００は、いくつかの可能な実装を挙げると、ＮＢ−ＩｏＴ、ＣＡＴ−Ｍ、Ｗｉ−Ｆｉ、ｅＭＴＣ、ロングタームエボリューション（ＬＴＥ）、ＬＴＥ−Ａｄｖａｎｃｅｄ、５Ｇ、ニューラジオ（ＮＲ）、広帯域符号分割多重アクセス（ＷＣＤＭＡ）、（グローバルシステムフォーモバイルコミュニケーション／エンハンストデータレートフォーＧＳＭエボリューション（ＧＳＭ／ＥＤＧＥ）、ワールドワイドインターオペラビリティフォーマイクロウェーブアクセス（ＷｉＭａｘ）、またはウルトラモバイルブロードバンド（ＵＭＢ）などの多数の異なる技術を用いてもよい。
【００２２】
無線通信ネットワーク１００では無線デバイス、たとえば、第１のＵＥ１２０とも呼ばれる無線デバイス１２０は固定され、第２の無線デバイス１２２とも呼ばれるいくつかの他の無線デバイス１２２も含む固定無線デバイスのグループに含まれ得る。本明細書で使用されるとき、固定無線デバイスという用語は、無線デバイス１２０、１２２が常に、例えば、同じ１つまたは複数のセルなどの同じ１つまたは複数のアクセスポイントによって担当されることを意味し、これは例えば、壁に取り付けられた「静的（Ｓｔａｔｉｏｎａｒｙ）」とも呼ばれ、または例えば、窓の開閉時を決定するための窓に設けられたセンサなどの「準静的（Ｓｅｍｉ−Ｓｔａｔｉｏｎａｒｙ）」デバイスとも呼ばれる。
【００２３】
「同じ１つまたは複数のアクセスポイントによって担当される」という表現は、本明細書で使用される場合、たとえば、「同じ位置にある少なくとも１つまたは複数のアクセスポイントによって担当される」ことを意味することがある。
【００２４】
無線デバイス１２０、１２２はそれぞれ、例えば、移動局、非アクセスポイント（非ＡＰ）ＳＴＡ、ＳＴＡ、ユーザ機器および／または無線端末、ＮＢ−ＩｏＴデバイス、ｅＭＴＣデバイスおよびＣＡＴ−Ｍデバイス、ＷｉＦｉデバイス、ＬＴＥデバイス、およびＮＲデバイスであってもよく、１つまたは複数のアクセスネットワーク（ＡＮ）、例えばＲＡＮを介して１つまたは複数のコアネットワーク（ＣＮ）と通信する。「無線デバイス」は任意の端末、無線通信端末、ユーザ機器、デバイスツーデバイス（Ｄ２Ｄ）端末、またはノード、たとえば、スマートフォン、ラップトップ、携帯電話、センサ、リレー、モバイルタブレット、またはセル内で通信する小型基地局さえをも意味する非限定的な用語であることを当業者は理解されたい。
【００２５】
第１のネットワークノード１１０とも呼ばれるネットワークノード１１０などのネットワークノードは無線通信ネットワーク１００内で動作し、サービスエリア１１、サービスエリア１２、サービスエリア１３、およびサービスエリア１４などの１つまたは複数の地理的エリアにわたって無線カバレッジを提供する。これらのサービスエリアは拡張カバレッジ領域に対応する、例えば、上述のＣＥレベル０、ＣＥレベル１、および／または２のような差分ＣＥレベルを有する可能性がある。これらは、５Ｇ、ＬＴＥ、Ｗｉ−Ｆｉ、ＮＢ−ＩｏＴ、ＣＡＴ−Ｍ、Ｗｉ−Ｆｉ、ｅＭＴＣまたはその類似物などの無線アクセス技術（ＲＡＴ）のビームまたはビームグループとも呼ばれる。ネットワークノード１１０は送受信ポイント、例えば、無線ローカルエリアネットワーク（ＷＬＡＮ）アクセスポイントまたはアクセスポイントステーション（ＡＰ  ＳＴＡ）のような無線アクセスネットワークノード、アクセスコントローラ、基地局、例えば、ノードＢのような無線基地局、エバルブドノードＢ（ｅＮＢ、ｅＮｏｄｅ  Ｂ）、ｇＮＢ、基地送受信局、無線リモートユニット、アクセスポイント基地局、基地局ルータ、無線基地局の送信構成、スタンドアロンアクセスポイント、または、例えば、使用される無線アクセス技術および用語に応じて、ネットワークノード１１０によって担当されるサービスエリア内の無線デバイスと通信することができる任意の他のネットワークユニットであってもよい。ネットワークノード１１０は、サービング無線ネットワークノードと呼ばれてもよく、無線デバイス１２０、１２２へのダウンリンク（ＤＬ）送信と、無線デバイス１２０、１２２からのアップリンク（ＵＬ）送信とを用いて、無線デバイス１２０、１２２と通信する。
【００２６】
第２のネットワークノード１３０とも呼ばれるネットワークノード１３０などのさらなるネットワークノードは、無線通信ネットワーク１００内で動作する。ネットワークノード１３０は、ＬＴＥアクセスネットワークのための制御ノードであるＭＭＥ、サービングゲートウェイ（ＳＧＷ）、およびパケットデータネットワークゲートウェイ（ＰＧＷ）であってもよい。ＭＭＥは、とりわけ、再送信を含む追跡およびページング手順を担当する。
【００２７】
本明細書の実施の形態による方法は例えば、ｅＮＢのようなネットワークノード１１０のいずれかによって、または、例えば、ＭＭＥのようなネットワークノード１３０によって実行されてもよい。したがって、本明細書の実施の形態による方法は、ネットワークノード１１０、１３０と呼ばれるネットワークノードによって実行することができる。
【００２８】
例えば、無線通信ネットワーク１１０における送信のための無線リソースを計画するための方法は、ネットワークノード１１０、１３０によって実行される。代替として、例えば、図２に示されるようなクラウド１４０に含まれる分散ノード（ＤＮ）および機能性は、方法を実行するために、または方法を部分的に実行するために使用されてもよい。
【００２９】
本明細書における実施の形態は例えば、ＮＢ−ＩｏＴ、無線リソース管理、スケジューリング、ランダムアクセス、ページング、および固定ＵＥを参照することができる。
【００３０】
本明細書の実施の形態によれば、無線デバイスは例えば、以下の２つの特性によって特徴付けることができる。
ａ）  無線デバイス１２０は例えば静的または準静的のように固定されている。例えば、無線デバイス１２０は１つの固定セルによって担当されてもよく、無線デバイス１２０は同じセル内に残ることができ、または無線デバイス１２０は、同じ場所にある少なくとも１つまたは複数のアクセスポイントによって担当されてもよい。
ｂ）  無線デバイス１２０は例えば、毎時１回、毎日１回、または毎月１回、周期的なデータ生成を使用する。
【００３１】
上記のプロパティは、無線リソース管理（ＲＲＭ）アルゴリズムへの入力として使用することができる。ＲＲＭアルゴリズムは本明細書で使用される場合、主に、サービス品質（ＱｏＳ）、ＵＥ差分を考慮し、スケジューラに入力を提供するリソースプランナである。静的構成は、ネットワークノード１１０、１３０、例えばｅＮＢなどのアクセスポイントやＭＭＥ、に存在し、静的構成は例えば、固定無線デバイス、その場所、データ生成間隔、および優先度などを定義する。この構成はＲＡＮ、例えば、ｅＮＢなどのネットワークノード１１０、におけるＲＲＭアルゴリズムに対するガイドとして、リソースを計画するために使用され得る。ＭＭＥなどのネットワークノード１３０において構成が行われる場合、必要なパラメータは、ＭＭＥなどのネットワークノード１３０からｅＮＢなどのネットワークノード１１０にページングメッセージを介して送信され得る。
【００３２】
本明細書のいくつかの例は、一日の異なる時間にわたって、ランダムアクセスプリアンブル、ＮＢ−ＩｏＴ物理ランダムアクセスチャネル（ＮＰＲＡＣＨ）、およびスケジューリングリソースを暫定的に変更し、予約することができる機能を提供する。あるいは、オペレータは、利用可能なリソースが効率的に利用され得るように、そのような無線デバイス１２０の挙動を調整するために、サービスプロバイダと協力してもよい。
【００３３】
本明細書の実施の形態の利点は、以下を含みうる：
・無線デバイス１２０は固定されているので、ＭＭＥなどのネットワークノード１３０は、本明細書の実施の形態による構成を使用して、セルアイデンティティ（Ｃｅｌｌ  Ｉｄ）に基づいて無線デバイス１２０を追跡することができる。したがって、将来のページングをセルＩｄに向けることによって、ページング容量を最小化することができる。
・ＮＢ−ＩｏＴセルによってサポートされている特定の産業／工場／病院が保証された性能及びカスタマイズされたサービスを得たいと望む場合には、このような要求を満たすために、本実施の形態に従った構成を使用することができる。
・特定のプリアンブル（ＮＰＲＡＣＨリソース）は、本明細書の実施の形態による構成から、高優先順位の無線デバイス、例えば、無線デバイス１２０がシステムにアクセスしようとしていることが分かると、予約されるか、または事前に割り当てられることができる。
・タイミングアドバンス（ＴＡ）は、ランダムアクセス応答メッセージにおけるネットワークノード１１０、１３０から無線デバイス１２０への、本明細書の実施の形態による構成におけるパラメータのうちの１つとすることができる（３ｇｐｐ，３６．３２１ｖ３０「Ｍｅｄｉｕｍ  Ａｃｃｅｓｓ  Ｃｏｎｔｒｏｌ  （ＭＡＣ）  ｐｒｏｔｏｃｏｌ  ｓｐｅｃｉｆｉｃａｔｉｏｎ」、２０１７−０６を参照されたい）。静的無線デバイスまたは準静的無線デバイスなどの固定無線デバイス（たとえば無線デバイス１２０）の場合、ｅＮＢなどのネットワークノード１１０、１３０は事前にＴＡを構成することができ、したがって、各ランダムアクセス手順の値を計算するためにｅＮＢで必要とされる処理労力を低減する。
・スケジューリングリソース（ＵＬ／ＤＬ）は優先順位付けされたユーザ（工業バルブ／センサ）、例えば、無線デバイス１２０、に予め割り当てられてもよく、そのデータ生成周期は既知であり、ネットワークノード１１０、例えば、本明細書の実施の形態によるｅＮＢにおいて構成されている。
・本明細書の実施の形態による構成は、それが無線通信ネットワーク１００のようなＮＷにアクセスしようとしている高優先度ユーザ（例えば無線デバイス１２０）を知っている場合、低優先度ユーザをブロックするためにさらに使用されてもよい。
【００３４】
本明細書の実施の形態は、主としてＮＢ−ＩｏＴデバイスで例示されるが、ＣＡＴ−Ｍ、ＬＴＥ、ＷｉＦｉまたはＮＲキャリアのような他の無線アクセス技術によってサービスが提供される他の無線デバイスにも適用可能である。
【００３５】
以下において、本明細書の実施の形態は、例示的な実施の形態によって例示される。これらの実施の形態が相互に排他的でないことは留意されるべきである。１つの実施の形態からのコンポーネントは別の実施の形態に存在すると暗に仮定することができ、これらのコンポーネントを他の例示的な実施の形態でどのように使用することができるかは、当業者には明らかであろう。
【００３６】
さらに、当業者は、主に同等の機能を有する以下の実施の形態のいくつかの実現があることに留意されたい。
【００３７】
さらに、メッセージ名、パラメータ、情報要素、およびフィールド名は本明細書のなかで変化することがあり、これは、本明細書で説明される実施の形態が主な機能および／または使用が同じである限り、依然として適用されることを暗示することに留意されたい。
【００３８】
ここで、いくつかの例示的な実施の形態をより詳細に説明する。
【００３９】
本明細書のいくつかの実施の形態の動作
ネットワークノード１１０，１３０によって実行される方法、例えば、ＮＢ−ＩｏＴ、ｅＭＴＣ、ＬＴＥ、ＷｉＦｉ、またはＮＲキャリアなどを介した伝送用の無線リソースを計画するための方法、の実施の形態を示すフローチャートの例示的な実施の形態が図３に示され、さらに以下に詳しく説明される。この方法は以下の動作のうちの１つまたは複数を含むことができ、これらの動作は、任意の適切な順序で行うことができる。
【００４０】
まず、動作について簡単に説明する：
動作３０１では、ネットワークノード１１０、１３０は、無線デバイス１２０が固定であることを確立する。固定である、とは同じひとつ以上のアクセスポイント（例えば、同じひとつ以上のセル）によって常に担当されることを意味する。
【００４１】
動作３０２では、ネットワークノード１１０、１３０は設定を取得する。設定は、無線デバイス１２０のＩＤと、ネットワークノード１１０と無線デバイス１２０との間の伝送のために用いられる関連パラメータと、を含む。該パラメータは：無線デバイス１２０を担当するひとつ以上のアクセスポイントおよび／またはセルのＩＤと、ネットワーク１１０と無線デバイス１２０との間の伝送のための時刻および周期性のうちの任意のひとつ以上と、を含む。
【００４２】
動作３０３では、設定に基づいて、ネットワークノード１１０、１３０は、ネットワークノード１１０と任意の無線デバイス１２０、１２２との間の例えばＮＢ−ＩｏＴキャリアやｅＭＴＣキャリアやＣａｔ−ＭキャリアやＬＴＥやＷｉＦｉやＮＲキャリアを介した後の伝送のために、ネットワークノード１１０で利用可能な無線リソースを計画してもよい。
【００４３】
動作３０１
ネットワークノード１１０、１３０は、無線デバイス１２０が同じひとつ以上のアクセスポイント（例えば、同じひとつ以上のセル）によって、または同じ位置にある少なくともひとつ以上のアクセスポイントによって、常に担当されることを含む固定であることを確立する。
【００４４】
ある実施の形態では、無線デバイス１２０が固定であることを確立することが、さらに、無線デバイス１２０が、ＮＢ−ＩｏＴデバイス、ｅＭＴＣデバイス、ＣＡＴ−Ｍデバイス、ＷｉＦｉデバイス、ＬＴＥデバイス、およびＮＲデバイスのうちの任意のひとつ以上であることを確立すること含む。
【００４５】
動作３０２
ネットワークノード１１０、１３０は設定を取得する。設定は、無線デバイス１２０のＩＤと、ネットワークノード１１０、１３０と無線デバイス１２０との間の伝送のために用いられる関連パラメータと、を含む。パラメータは、無線デバイス１２０を担当するひとつ以上のアクセスポイントのＩＤを含む。パラメータはさらに、以下のうちの任意のひとつ以上を含む：ネットワークノード１１０、１３０と無線デバイス１２０との間の伝送についての、時刻および周期性。
【００４６】
パラメータはさらに、以下のうちの任意のひとつ以上を含んでもよい：タイミングアドバンス、ＴＡ、値、サービス品質、優先度、および専用リソース必要性。
【００４７】
ある実施の形態では、無線デバイス１２０が固定無線デバイス１２０、１２２のグループに含まれており、パラメータがさらに、固定無線デバイス１２０、１２２のグループのＩＤを含む。
【００４８】
これらの実施の形態のいくつかでは、固定無線デバイス１２０、１２２のグループ内の無線デバイス１２０のＵＬ伝送を測定することによってＴＡ値が取得されてもよい。さらに、ＴＡ値が固定無線デバイス１２０、１２２のグループ内の全ての無線デバイスに、例えば固定無線デバイス１２０、１２２のグループ内の個々別々の無線デバイスについて測定を繰り返すことなしに、適用されてもよい。
【００４９】
これらの実施の形態の代替として、固定無線デバイス１２０、１２２のグループ内の無線デバイスのいずれかからＴＡ値が取得されてもよい。これらの実施の形態では、ＴＡ値は、無線デバイス１２０の正確な地理的位置が、システム情報、ＳＩ、で報知されるＴＡ値にマッピングされることに基づいてもよい。
【００５０】
動作３０３
設定のなかの利用可能な情報などの設定に基づいて、ネットワークノード１１０、１３０は、ネットワークノード１１０、１３０と任意の無線デバイス１２０、１２２との間の例えばＮＢ−ＩｏＴキャリアやｅＭＴＣキャリアやＣａｔ−ＭキャリアやＬＴＥやＷｉＦｉやＮＲキャリアを介した後の伝送のために、ネットワークノード１１０で利用可能な無線リソースを計画する。
【００５１】
ある実施の形態では、ネットワークノード１１０、１３０において利用可能な無線リソースを計画することが、ランダムアクセス、ユーザデータのスケジューリング、およびページングメッセージのうちの任意のひとつ以上についてリソース消費を最適化することを含んでもよい。例えば、ランダムアクセス、ユーザデータのスケジューリング、およびページングメッセージオーバヘッドのさらなる最小化のうちの任意の１つまたは複数のために無線リソース消費を事前に割り当てることなどである。
【００５２】
動作３０４
ある実施の形態では、ネットワークノード１１０、１３０は、固定無線デバイス１２０、１２２のグループ内の他の無線デバイス１２０、１２２に対して、固定無線デバイス１２０、１２２の同じグループ内の他の無線デバイス１２０、１２２について用いられるべき取得されたＴＡ値を、示す。
【００５３】
動作３０５
ある実施の形態では、ネットワークノード１１０、１３０は、無線デバイス１２０、１２２によって用いられるべきプリアンブルランダムアクセス（ＮＰＲＡＣＨプリアンブル）などのアップリンクリソースを、無線デバイス１２０、１２２に対して、示す。
【００５４】
動作３０６
ある実施の形態では、ネットワークノード１１０、１３０は、アプリケーションレイヤに、無線デバイス１２０が固定無線デバイスであることを示す。アプリケーションレイヤはアプリケーションにおけるものであってもよく、当該アプリケーションがクラウド１４０およびオペレータの専用サーバのうちのいずれかで実行されており、当該アプリケーションは、クラウド１４０および専用サーバのうちのいずれかのオペレータが、無線デバイス１２０にセンサをインストールすることおよび／または無線デバイス１２０から測定を取得することを可能とする。
【００５５】
例えば、送信用の無線リソースを計画するための方法動作を実行するために、ネットワークノード１１０、１３０は図４に示される構成を備えることができる。ネットワークノード１１０、１３０は例えば、確立モジュールと、取得モジュールと、計画モジュールと、を備えることができる。ネットワークノード１１０、１３０は、第１提示モジュール４４０および第２提示モジュール４５０をさらに備えることができる。
【００５６】
また、当業者であれば、上述のネットワークノード１１０、１３０内のモジュールはアナログ回路とデジタル回路との組み合わせ、および／または、上述のプロセッサなどの対応する１つまたは複数のプロセッサによって実行される場合の、例えばネットワークノード１１０、１３０内に格納されたソフトウェアおよび／またはファームウェアで構成された１つまたは複数のプロセッサ、を指すことができることを理解するのであろう。これらのプロセッサのうちの１つまたは複数、ならびに他のデジタルハードウェアは、単一の特定用途向け集積回路（ＡＳＩＣ）に含めることができ、または、個々にパッケージされているか、システムオンチップ（ＳｏＣ）にアセンブルされているかにかかわらず、いくつかのプロセッサおよび各種デジタルハードウェアをいくつかの別個のコンポーネントの間で分散させることができる。
【００５７】
ネットワークノード１１０、１３０は、無線デバイス１２０、１２２と通信するように構成された入出力インタフェースを備えることができる。入出力インタフェースは、無線受信器（図示せず）および無線送信器（図示せず）を備えることができる。
【００５８】
本明細書の実施の形態は、本明細書の実施の形態の機能および動作を実行するための対応するコンピュータプログラムコードとともに、図４に示されるネットワークノード１１０、１３０内の処理回路のプロセッサなど、対応するプロセッサまたは１つまたは複数のプロセッサを介して実装され得る。上述のプログラムコードは例えば、ネットワークノード１１０、１３０にロードされたときに本明細書の実施の形態を実行するためのコンピュータプログラムコードを搬送するデータキャリアの形態で、コンピュータプログラム製品として提供されてもよい。そのようなキャリアの１つは、ＣＤ  ＲＯＭディスクの形であってもよい。しかしながら、メモリスティックのような他のデータキャリアでも実現可能である。コンピュータプログラムコードはさらに、サーバ上の純粋なプログラムコードとして提供され、ネットワークノード１１０、１３０にダウンロードされてもよい。
【００５９】
ネットワークノード１１０、１３０は、１つまたは複数のメモリユニットを備えるメモリをさらに備えることができる。メモリは、ネットワークノード１１０、１３０内のプロセッサによって実行可能なインストラクションを含む。
【００６０】
メモリは、ネットワークノード１１０、１３０において実行されるときに本明細書の方法を実行するための、データや設定やアプリケーションなどを格納するために使用されるよう構成される。
【００６１】
いくつかの実施の形態では、対応するコンピュータプログラムは、対応する少なくとも１つのプロセッサによって実行されたときにネットワークノード１１０、１３０の少なくとも１つのプロセッサに上記の動作を実行させるインストラクションを含む。
【００６２】
ある実施の形態では、対応するキャリアは対応するコンピュータプログラムを含み、キャリアは電気信号、光学信号、電磁気信号、磁気信号、電場信号、無線信号、マイクロ波信号、またはコンピュータ可読ストレージ媒体のうちのひとつである。
【００６３】
例えば、１時間毎、１日毎、１週間毎など周期的にデータを送信する、例えば、静的及び／又は準静的ＮＢ−ＩｏＴデバイスなどの固定無線デバイス１２０の場合、無線デバイス１２０が一旦アクティブになると、例えば、ｅＮＢのようなネットワークノード１１０、１３０内のリソース消費を最適化するために利用され得るパラメータの集合を事前に設定することが可能である。
【００６４】
以下の表は、固定無線デバイス１２０用に設定され得るいくつかのパラメータを列挙する。それはまた、パラメータがどのように設定され得るかのいくつかの例を提供する。
【表１】
2020530221.tif 000003
これは、同じ地理的位置を有するＵＥのグループであり得ることに留意されたい。ＵＥのグループは例えば、無線デバイス１２０を備えることができる。
【００６５】
本明細書の実施の形態による設定は、無線デバイス１２０などの無線デバイスごとに、たとえばＭＭＥ内および／または無線デバイス１２０を担当するｅＮＢ内などのネットワークノード１１０、１３０内に保持され得る。例えば、固定無線デバイス１２０を定義する静的構成、その位置、データ生成間隔、および優先順位などを保持することができ、あるいは、構成内のデータを、機械学習アルゴリズムまたは他の入力を使用して無線デバイス１２０の挙動に基づいて動的に更新することができる。
【００６６】
情報がＭＭＥなどのネットワークノード１３０に格納されている場合、関連パラメータは、Ｓ１−ＡＰページングメッセージ［４］で、またはＳ１−ＡＰ初期コンテキスト設定要求メッセージでネットワークノード１１０  ｅＮＢに送信されてもよい。３ＧＰＰ，３６．４１３ｖ３０「Ｓ１  Ａｐｐｌｉｃａｔｉｏｎ  Ｐｒｏｔｏｃｏｌ  」，２０１７−０６を参照されたい。この目的のために、Ｓ１−ＡＰメッセージは、新しいＩＥ、例えば無線デバイス１２０のＴＡ、や無線デバイス１２０が属する静的／準静的グループや無線デバイス１２０の優先度などで拡張されてもよい。
【００６７】
情報が例えばｅＮＢのようなネットワークノード１１０に保持される場合、情報は、好ましくは例えばＩＭＳＩのような無線デバイス１２０のＩＤに関連付けられる。ＩＭＳＩを含むＳ１−ＡＰページングメッセージを受信すると、ネットワークノード１１０は、このＩＭＳＩに関連する無線デバイス１２０固有の設定を取り出すことができる。
【００６８】
上記の設定データは、以下でより詳細に説明するように、様々な目的のために、ランダムアクセス（Ａ）、ユーザデータのスケジューリング（Ｂ）、ページング（Ｃ）、およびＮＢ−ＩｏＴ固定デバイスの使用（Ｄ）のためのリソース消費を最適化するために、例えばｅＮＢまたはＭＭＥなどの第１のネットワークノード１１０および第２のネットワークノード１３０によって使用され得る。
【００６９】
Ａ）  ランダムアクセス手順
本明細書の実施の形態による設定におけるＴＡ値は、固定無線デバイス１２０、１２２のグループ内の１つの無線デバイス、たとえば無線デバイス１２０のＵＬ送信を測定することから取得され得る。次に、ＴＡ値は、個々の無線デバイスごとに測定を繰り返すことなく、このグループ内のすべての無線デバイスに適用され得る。
【００７０】
実施の形態のうちの１つでは、ＴＡがＵＬ送信なしで推定され得る。この実施の形態では、これは例えば、全地球測位システム（ＧＰＳ）、観測到着時間差（ＯＴＤＯＡ）などを使用した正確な測位を使用することによって実行される。無線デバイス１２０は、ＳＩ（システム情報）で報知されたＴＡへの地理的位置のマッピングを使用して、その位置をＴＡ値Ｒａにマッピングし、したがって、ＵＬ送信なしにそのＴＡを推定することができる。次に、無線デバイス１２０は、この推定されたＴＡをネットワークノード１１０、１３０に送信することができる。
【００７１】
実施の形態のうちの１つでは、ｅＮＢなどのネットワークノード１１０、１３０は設定されたＴＡを使用して、ランダムアクセス（ＲＡ）手順中のＴＡの推定を改善することができ、設定された更新値は特定の持続時間／カウントまで、後続のランダムアクセス手順のために再使用され得る：
○機械学習ベースの推定技術は、設定されたＴＡの更新値を保持するために、ネットワークノード１１０、１３０によって使用され得る。新しい設定された値は、古い設定された値およびＲＡ手順から導出された値を考慮に入れることができる。
○新しい設定された値＝（古い設定された値、ＲＡ手順からの推定値）。
○同期の問題がある場合、またはある時間および／またはカウントが経過した後にのみ、ｅＮＢなどのネットワークノード１１０、１３０はＴＡを評価することができ、そうでない限りは設定された値に依存することとなり、これにより、ｅＮＢ処理容量などのネットワークノード１１０、１３０の節約が実現される。
【００７２】
一例では、ｅＮＢなどのネットワークノード１１０、１３０は、静的または準静的無線デバイス１２０、１２２の同じグループ内の任意の無線デバイスから、上記のような本明細書の実施の形態によるＴＡ値を取得し、たとえばページング、ＳＩ、または専用シグナリングを介して、同じグループ内の他の無線デバイス１２０、１２２のために使用されるべき推定ＴＡ値を示すことができる。これは、ネットワークノード１１０、１３０が各無線デバイス１２０、１２２のＴＡを計算する必要がないので、有利である。しかしながら、ネットワークノード１１０、１３０はＴＡをさらに微調整するために、近似アルゴリズムおよび推定技法を適用することができる。
【００７３】
実施の形態の１つでは、ｅＮＢなどのネットワークノード１１０、１３０は例えば、ページングまたは同様のメカニズムを使用し、ＴＡ値と、ランダムアクセス手順に使用するプリアンブルなどのランダムアクセスリソースとを指定することによって、静的または準静的無線デバイス１２０、１２２のグループに情報を送出する。これは、いかなる競合もないことが保証されたサービスを可能にし、ＵＬパケットが同期するためのメカニズムを提供するので、有利である。
【００７４】
実施の形態のうちの１つでは、ｅＮＢなどのネットワークノード１１０、１３０は、本明細書の実施の形態による設定または以前の推定から取得されたＴＡ値と、ランダムアクセス手順のために使用するランダムアクセスリソースとを指定する情報を、静的または準静的無線デバイス１２０、１２２のグループに送出することができる。以前のＴＡまたは設定されたＴＡを適用することは、複雑なＴＡ計算の実行を回避する。さらに、どのランダムアクセスプリアンブルを使用するかに関する知識は、競合のないランダムアクセス手順を提供する。
【００７５】
実施の形態のうちの１つでは、ｅＮＢなどのネットワークノード１１０、１３０は、本明細書の実施の形態による以前に使用されたＴＡ値が依然として有効であることを、ページング、ＳＩ、または専用シグナリングのいずれかを介して無線デバイス１２０、１２２に示すことができる。これは、ＴＡ値の計算を回避することができるので有益である。
【００７６】
実施の形態のうちの１つでは、ｅＮＢなどのネットワークノード１１０、１３０は、以前のランダムアクセスリソース（ＮＰＲＡＣＨプリアンブル）が依然として有効であり使用可能であることを、ページング、ＳＩ、または専用シグナリングのいずれかを介して無線デバイス１２０、１２２に示すことができる。これは、いかなる競合もないことを保証されたサービスを可能にするので、有用である
【００７７】
実施の形態のうちの１つでは、ＭＭＥなどのネットワークノード１１０、１３０はＵＬデータによってトリガされるランダムアクセスを開始することが予想される直前に、無線デバイス１２０をページングする。これは、ＵＬランダムアクセス手順が競合なしになることができるように、無線デバイス１２０をページングすることである。ＲＲＣページングメッセージでは、ｅＮＢなどのネットワークノード１１０、１３０は本明細書の実施の形態によるＮＰＲＡＣＨリソースにおいて、無線デバイス１２０がたとえば、新しいＤＣＩフォーマットの使用を介して使用することができることを示すことができる。ＮＰＲＡＣＨリソースは図５に示されるように、予め割り当てられ、無線デバイス１２０にシグナリングされてもよい。３ＧＰＰ、３６．３３１ｖ３０  「Ｒａｄｉｏ  Ｒｅｓｏｕｒｃｅ  Ｃｏｎｔｒｏｌ」、２０１７−０６から下のＲＲＣページングメッセージを参照されたい。
【００７８】
実施の形態のうちの１つでは、ｅＮＢなどのネットワークノード１１０は、ＭＭＥなどのネットワークノード１３０に、ＵＬデータによってトリガされるランダムアクセスを開始することが予想される直前に、無線デバイス１２０をページングするよう要求する。ＲＲＣページングメッセージでは、ｅＮＢなどのネットワークノード１１０、１３０は、ＮＰＲＡＣＨリソースにおいて、無線デバイス１２０が新しいＤＣＩフォーマットの使用を介して使用することができることを示すことができる。ＮＰＲＡＣＨリソースは図６に示されるように、予め割り当てられ、無線デバイス１２０にシグナリングされてもよい。３ＧＰＰ、３６．３３１ｖ３０  「Ｒａｄｉｏ  Ｒｅｓｏｕｒｃｅ  Ｃｏｎｔｒｏｌ」、２０１７−０６から下のＲＲＣページングメッセージを参照されたい。
【００７９】
３ＧＰＰ、３６．３３１ｖ３０  「Ｒａｄｉｏ  Ｒｅｓｏｕｒｃｅ  Ｃｏｎｔｒｏｌ」、２０１７−０６より：
５．１．１．１  Ｐａｇｉｎｇ
ページングメッセージは、１つ以上のＵＥの通知のために使用される。
シグナリング無線ベアラ：Ｎ／Ａ
ＲＬＣ−ＳＡＰ：ＴＭ
論理チャネル：ＰＣＣＨ
方向：Ｅ  ＵＴＲＡＮからＵＥへ
Paging message
-- ASN1START
Paging ::=     SEQUENCE {
pagingRecordList    PagingRecordList      OPTIONAL, -- Need ON
systemInfoModification   ENUMERATED {true}     OPTIONAL, -- Need ON
etws-Indication     ENUMERATED {true}     OPTIONAL, -- Need ON
nonCriticalExtension   Paging-v890-IEs      OPTIONAL
}
Paging-v890-IEs ::=   SEQUENCE {
lateNonCriticalExtension  OCTET STRING       OPTIONAL,
nonCriticalExtension   Paging-v920-IEs       OPTIONAL
}
Paging-v920-IEs ::=   SEQUENCE {
cmas-Indication-r9    ENUMERATED {true}     OPTIONAL, -- Need ON
nonCriticalExtension    Paging-v1130-IEs    OPTIONAL
}
Paging-v1130-IEs ::=   SEQUENCE {
eab-ParamModification-r11  ENUMERATED {true}     OPTIONAL, -- Need ON
nonCriticalExtension   Paging-v1310-IEs     OPTIONAL
}
Paging-v1310-IEs ::=   SEQUENCE {
redistributionIndication-r13 ENUMERATED {true}     OPTIONAL, --Need ON
systemInfoModification-eDRX-r13 ENUMERATED {true}     OPTIONAL, -- Need ON
nonCriticalExtension   SEQUENCE {}       OPTIONAL
}
Paging-vxy-IEs ::=   SEQUENCE {
allocatePreamble    ENUMERATED {true}     OPTIONAL, -- Need ON
nonCriticalExtension   SEQUENCE {}       OPTIONAL
}
PagingRecordList ::=    SEQUENCE (SIZE (1..maxPageRec)) OF PagingRecord
PagingRecord ::=     SEQUENCE {
ue-Identity       PagingUE-Identity,
cn-Domain       ENUMERATED {ps, cs},
...
}
PagingUE-Identity ::=    CHOICE {
s-TMSI        S-TMSI,
imsi        IMSI,
...
}
IMSI ::=       SEQUENCE (SIZE (6..21)) OF IMSI-Digit
【００８０】
Ｂ）  リソースのスケジューリング：
上記の場合のｅＮＢなどのネットワークノード１１０、１３０は、ＴＡと、必要とされる反復の数と、設定において言及された専用リソースの必要性と、に基づいて、必要とされるＤＬリソースを推定し、したがって、無線デバイス１２０  １２２のためのリソースを事前に割り振ることができる。ＵＬにおいても同様のリソース割り当てを行うことができる。図７を参照。ネットワークノード１１０、１３０は無線デバイス１２０、１２２のためのリソースを事前に割り振るために、本明細書の実施の形態による設定からの入力とともに、通常のモバイルトラフィックに基づく入力を使用することができる。
【００８１】
例えば、ネットワークノード１１０、１３０はＮＢ−ＩｏＴデバイスなどの無線デバイス１２０、１２２のＵＬ／ＤＬデータスケジューリングを調整し、優先度、ＴＡ、データの周期性、およびリソースの必要性を有するｅＮＢなどのネットワークノード１１０、１３０内でそれを設定する。
【００８２】
ネットワークノード１１０、１３０は、設定されたパラメータを、ＮＰＲＡＣＨリソース割り当て、許可（低優先度ユーザのブロック）、およびスケジューリングリソースなどのＲＲＭアルゴリズムへの入力として使用することができる。
【００８３】
Ｃ）  ページングの改善
実施の形態のうちの１つでは、ＭＭＥなどのネットワークノード１３０は、ページング負荷を低減するために、無線デバイス１２０などの静的ＵＥをその最後の既知のセルにページングすることができる。その場合、完全なトラッキングエリアにページングする必要はない。
【００８４】
Ｄ）  異なる目的のためのＮＢ−ＩｏＴ固定デバイスの使用
いくつかの実施の形態では、ネットワークノード１１０、１３０は無線デバイス１２０がクラウド１４０または専用サーバで実行されるｅヘルス、スマートシティなどのアプリケーションにおけるアプリケーションレイヤに対して、静的または準静的デバイスであることを示すことができる。アプリケーションは、無線デバイス１２０が静止しているというこの情報の利益を得ることができる。無線デバイス１２０などの固定無線デバイスがインストールされ、オペレータからの同意が利用可能である場合、ネットワークノード１１０は、無線デバイス１２０が静止していることに関するそのような情報を、各種クラウドアプリケーション、たとえばスマートシティサーバに報知することができる。スマートシティサーバは、本明細書で使用される場合、資産および資源を効率的に管理するために使用され得る電子データセンサ測定値を収集することによって情報を含むサーバを意味する。したがって、スマートシティサーバの所有者は、オペレータからの同意に基づいて、例えば周期的な大気汚染および日々の温度を報告することができるセンサをそのような固定無線デバイスにインストールすることができる。
【００８５】
多くのＮＢ−ＩｏＴユースケースは無線デバイス１２０、１２２などの地理的に固定されたＵＥを含み、同じセル（１つまたは複数）によって担当されるものとする。本明細書の実施の形態によれば、これらの特性は資本化され、その結果、複雑なＵＥ／ＲＡＮ手順が簡略化される。
【００８６】
無線デバイス１２０などの特定の設定されたＮＢ−ＩｏＴデバイス、特に、ＮＢ−ＩｏＴセルなどのネットワークノード１１０によってサービスされる産業または工場、に優先順位を付けることを可能とするフィーチャによって、産業や工場により良いサービスを提供し、ｅＮＢなどのネットワークノード１１０のための効率的なリソース計画を実現することができる。ｅＮＢは一日の異なる時間にわたってＮＰＲＡＣＨおよびスケジューリングリソースを暫定的に変更し、予約することができる。あるいは、オペレータがサービスプロバイダと調整して、そのようなデバイスの挙動を調整することができる。これは、非ピーク時間とも呼ばれる、比較的忙しくない期間中にのみトラフィックの一部を処理することによって、負荷分散が行われ得るので、有利である。
【００８７】
番号１〜１４のいくつかの例示的な実施の形態を以下に説明する。以下の実施の形態は、とりわけ、図２、図３および図４を参照する。
【００８８】
実施の形態１。  例えば狭帯域−物のインターネット化、ＮＢ−ＩｏＴ、キャリアやエンハンストマシンタイプ通信、ｅＭＴＣ、キャリアやロングタームエボリューションカテゴリＭ１、Ｃａｔ−Ｍ、キャリアを介した、伝送用無線リソースを計画するための、ネットワークノード１１０、１３０によって行われる方法であって、前記方法は以下を含む：
無線デバイス１２０が同じひとつ以上のアクセスポイント（例えば、同じひとつ以上のセル）によって常に担当されることを含む固定であることを確立すること３０１と、
前記無線デバイス１２０のＩＤと、前記ネットワークノード１１０と前記無線デバイス１２０との間の伝送のために用いられる関連パラメータと、を含む設定を取得することであって、当該パラメータが前記無線デバイス１２０を担当する前記ひとつ以上のアクセスポイントおよび／またはセルのＩＤと、前記ネットワーク１１０と前記無線デバイス１２０との間の伝送のための時刻および周期性のうちの任意のひとつ以上と、を含む、取得すること３０２と、
前記設定に基づいて、前記ネットワークノード１１０と任意の無線デバイス１２０、１２２との間の例えばＮＢ−ＩｏＴキャリアやｅＭＴＣキャリアやＣａｔ−Ｍキャリアを介した後の伝送のために、前記ネットワークノード１１０で利用可能な無線リソースを計画すること３０３。
【００８９】
実施の形態２。  前記パラメータがさらに、前記無線デバイス１２０の位置、ＴＡ値などのＴＡ、サービス品質、優先度、および専用リソース必要性のうちの任意のひとつ以上を含む実施の形態１に記載の方法。
【００９０】
実施の形態３。  前記無線デバイスが固定無線デバイス１２０、１２２のグループに含まれており、前記パラメータがさらに、固定無線デバイス１２０、１２２の前記グループのＩＤを含む実施の形態１または２に記載の方法。
【００９１】
実施の形態４。  固定無線デバイス１２０、１２２の前記グループ内の前記無線デバイス１２０のＵＬ伝送を測定することによって前記ＴＡ値が得られ、前記ＴＡ値が固定無線デバイス１２０、１２２の前記グループ内の全ての前記無線デバイスに、例えば固定無線デバイス１２０、１２２の前記グループ内の個々別々の無線デバイスについて前記測定を繰り返すことなしに、適用される実施の形態３に記載の方法。
【００９２】
実施の形態５。  前記ネットワークノード１１０において利用可能な無線リソースを計画すること３０３が、ランダムアクセス、ユーザデータのスケジューリング、およびページングメッセージのうちの任意のひとつ以上についてリソース消費を最適化することを含む実施の形態１から４のいずれか一項に記載の方法。
【００９３】
実施の形態６。  前記無線デバイス１２０が固定であることを確立すること３０１が、さらに、前記無線デバイス１２０が、ＮＢ−ＩｏＴデバイス、ｅＭＴＣデバイス、ＣＡＴ−Ｍデバイス、ＷｉＦｉデバイス、ＬＴＥデバイス、およびＮＲデバイスのうちの任意のひとつ以上であることを確立すること含む実施の形態１から５のいずれか一項に記載の方法。
【００９４】
実施の形態７。  コンピュータプログラムであって、インストラクションを備え、該インストラクションはプロセッサによって実行された場合、前記プロセッサに請求項１から６のいずれか一項に記載の動作を実行させるコンピュータプログラム。
【００９５】
実施の形態８。  実施の形態７に記載のコンピュータプログラムを含むキャリアであって、前記キャリアは電気信号、光学信号、電磁気信号、磁気信号、電場信号、無線信号、マイクロ波信号、またはコンピュータ可読ストレージ媒体のうちのひとつであるキャリア。
【００９６】
実施の形態９。  例えば狭帯域−物のインターネット化、ＮＢ−ＩｏＴ、キャリアやエンハンストマシンタイプ通信、ｅＭＴＣ、キャリアやロングタームエボリューションカテゴリＭ１、Ｃａｔ−Ｍ、キャリアを介した、伝送用無線リソースを計画するためのネットワークノード１１０、１３０であって、前記ネットワークノード１１０、１３０は以下を行うよう構成される：
例えば前記ネットワークノード１１０、１３０の確立モジュール４１０によって、無線デバイス１２０が同じひとつ以上のアクセスポイント（例えば、同じひとつ以上のセル）によって常に担当されることを含む固定であることを確立することと、
例えば前記ネットワークノード１１０、１３０の取得モジュール４２０によって、前記無線デバイス１２０のＩＤと、前記ネットワークノード１１０と前記無線デバイス１２０との間の伝送のために用いられる関連パラメータと、を含む設定を取得することであって、当該パラメータが前記無線デバイス１２０を担当する前記ひとつ以上のアクセスポイントおよび／またはセルのＩＤと、前記ネットワーク１１０と前記無線デバイス１２０との間の伝送のための時刻および周期性のうちの任意のひとつ以上と、を含む、取得することと、
例えば、前記ネットワークノード１１０、１３０の計画モジュール４３０によって、前記設定に基づいて、前記ネットワークノード１１０と任意の無線デバイス１２０、１２２との間の例えばＮＢ−ＩｏＴキャリアやｅＭＴＣキャリアやＣａｔ−Ｍキャリアを介した後の伝送のために、前記ネットワークノード１１０で利用可能な無線リソースを計画すること。
【００９７】
実施の形態１０。  前記パラメータがさらに以下のうちの任意のひとつ以上を含むよう適合される実施の形態９に記載のネットワークノード１１０、１３０：
タイミングアドバンス、ＴＡ、値、サービス品質、優先度、および専用リソース必要性。
【００９８】
実施の形態１１。  前記無線デバイス１２０が固定無線デバイス１２０、１２２のグループに含まれるよう適合されており、前記パラメータがさらに、固定無線デバイス１２０、１２２の前記グループのＩＤを含む実施の形態９または１０に記載のネットワークノード１１０、１３０。
【００９９】
実施の形態１２。  固定無線デバイス１２０、１２２の前記グループ内の前記無線デバイス１２０のＵＬ伝送を測定することによって前記ＴＡ値が得られるよう適合され、前記ＴＡ値が固定無線デバイス１２０、１２２の前記グループ内の全ての前記無線デバイスに、例えば固定無線デバイス１２０、１２２の前記グループ内の個々別々の無線デバイスについて前記測定を繰り返すことなしに、適用されるよう適合される実施の形態１１に記載のネットワークノード１１０、１３０。
【０１００】
実施の形態１３。  前記ネットワークノード１１０、１３０がさらに、例えば前記ネットワークノード１１０、１３０の前記計画モジュールによって、前記ネットワークノード１１０において利用可能な無線リソースを計画する２０３よう構成され、これが、ランダムアクセス、ユーザデータのスケジューリング、およびページングメッセージのうちの任意のひとつ以上についてリソース消費を最適化することを含む実施の形態９から１２のいずれか一項に記載のネットワークノード（１１０、１３０）。
【０１０１】
実施の形態１４。  前記ネットワークノード１１０、１３０がさらに、前記無線デバイス１２０が、ＮＢ−ＩｏＴデバイス、ｅＭＴＣデバイス、ＣＡＴ−Ｍデバイス、ＷｉＦｉデバイス、ＬＴＥデバイス、およびＮＲデバイスのうちの任意のひとつ以上であることを確立するよう構成される実施の形態９から１３のいずれか一項に記載のネットワークノード（１１０、１３０）。
【０１０２】
５．  前記無線デバイス１２０から前記ＴＡ値が得られるよう適合され、当該ＴＡ値は、前記無線デバイス１２０の正確な地理的位置が、システム情報、ＳＩ、で報知されるＴＡ値にマッピングされることに基づく請求項１４に記載のネットワークノード１１０、１３０。  ［ｐａｇｅ  １１，  ｌｉｎｅｓ  １３−１７  ｉｎ  ｐｒｏｖｉｓｉｏｎａｌ］
【０１０３】
６．  以下を行うようさらに構成される請求項１６に記載のネットワークノード１１０、１３０：
例えば、第１提示モジュール４４０によって、固定無線デバイス１２０、１２２の前記グループ内の他の無線デバイス１２０、１２２に対して、固定無線デバイス１２０、１２２の同じグループ内の他の無線デバイス１２０、１２２について用いられるべき前記取得されたＴＡ値を、示すこと。
【０１０４】
９．  以下を行うようさらに構成される請求項１２から１９のいずれか一項に記載のネットワークノード１１０、１３０：
例えば、第２提示モジュール４５０によって、アプリケーションにおけるアプリケーションレイヤに、前記無線デバイス１２０が固定無線デバイスであることを示すことであって、当該アプリケーションがクラウド１４０および専用サーバのうちのいずれかで実行されており、当該アプリケーションは、前記クラウド１４０および前記専用サーバのうちのいずれかのオペレータが、前記無線デバイス１２０にセンサをインストールすることおよび／または前記無線デバイス１２０から測定を取得することを可能とする、示すこと。
【０１０５】
さらなる拡張および変形例
図８を参照すると、ある実施の形態によれば、通信システムは、３ＧＰＰタイプのセルラネットワークなどの無線通信ネットワーク１００、例えばＷＬＡＮ、などの電気通信ネットワーク３２１０を含み、それは無線アクセスネットワークなどのアクセスネットワーク３２１１と、コアネットワーク３２１４と、を備える。アクセスネットワーク３２１１は、ネットワークノード１１０、１３０、アクセスノード、ＡＰ  ＳＴＡ  ＮＢ、ｅＮＢ、ｇＮＢ、または他のタイプの無線アクセスポイントなどの複数の基地局３２１２ａ、３２１２ｂ、３２１２ｃを備え、それぞれは対応するカバレッジエリア３２１３ａ、３２１３ｂ、３２１３ｃを定義する。各基地局３２１２ａ、３２１２ｂ、３２１２ｃは、有線または無線接続３２１５を介してコアネットワーク３２１４に接続可能である。カバレッジ領域３２１３ｃに位置する第１ユーザ装置（ＵＥ）３２９１、例えば非ＡＰ  ＳＴＡ３２９１などの無線デバイス１２０、は、対応する基地局３２１２ｃに無線接続するか、またはそれによってページングされるように構成される。カバレッジ領域３２１３ａにある非ＡＰ  ＳＴＡなどの無線デバイス１２２などの第２ＵＥ３２９２は、対応する基地局３２１２ａに無線接続可能である。この例では複数のＵＥ３２９１、３２９２が示されているが、開示された実施形態は単一のＵＥがカバレッジエリア内にある状況、または単一のＵＥが対応する基地局３２１２に接続している状況にも等しく適用可能である。
【０１０６】
通信ネットワーク３２１０はそれ自体がホストコンピュータ３２３０に接続され、それはスタンドアロンサーバ、クラウド実装サーバ、分散サーバのハードウェアおよび／またはソフトウェア、またはサーバファーム内の処理資源として具体化され得る。ホストコンピュータ３２３０は、サービスプロバイダの所有権または制御下にあってもよく、またはサービスプロバイダによって、またはサービスプロバイダを代理して操作されてもよい。電気通信ネットワーク３２１０とホストコンピュータ３２３０との間の接続３２２１、３２２２は、コアネットワーク３２１４からホストコンピュータ３２３０に直接延在することができ、または任意選択の中間ネットワーク３２２０を介して進むことができる。中間ネットワーク３２２０は公衆ネットワーク、プライベートネットワーク、またはホストネットワークのうちの１つ、または２つ以上の組み合わせとすることができ、中間ネットワーク３２２０はもしあれば、バックボーンネットワークまたはインターネットとすることができ、特に、中間ネットワーク３２２０は、２つ以上のサブネットワーク（図示せず）を含むことができる。
【０１０７】
図８の通信システム全体は、接続されたＵＥ３２９１、３２９２のうちの１つとホストコンピュータ３２３０との間の接続を可能にする。接続は、オーバザトップ（ＯＴＴ）接続３２５０として説明することができる。ホストコンピュータ３２３０および接続されたＵＥ３２９１、３２９２は、アクセスネットワーク３２１１、コアネットワーク３２１４、いずれかの中間ネットワーク３２２０、および可能なさらなるインフラストラクチャ（図示せず）を媒介として使用して、ＯＴＴ接続３２５０を介してデータおよび／またはシグナリングを通信するように構成される。ＯＴＴ接続３２５０は、ＯＴＴ接続３２５０が通過する参加通信デバイスがアップリンク通信およびダウンリンク通信のルーティングを知らないという意味で、トランスペアレントであり得る。例えば、基地局３２１２は、接続されたＵＥ３２９１に転送される（例えば、ハンドオーバされる）、ホストコンピュータ３２３０から発信されるデータを伴う着信ダウンリンク通信の過去のルーティングについて通知されなくてもよく、または通知される必要がなくてもよい。同様に、基地局３２１２は、ＵＥ３２９１からホストコンピュータ３２３０に向けて発せられる発信アップリンク通信の将来のルーティングを認識する必要はない。
【０１０８】
先の段落で論じたＵＥ、基地局、およびホストコンピュータの、一実施形態による、例示的な実装形態を、図９を参照して次に説明する。通信システム３３００では、ホストコンピュータ３３１０は、通信システム３３００の異なる通信デバイスのインタフェースとの有線または無線接続をセットアップおよび維持するように構成された通信インタフェース３３１６を含むハードウェア３３１５を備える。ホストコンピュータ３３１０は、ストレージおよび／または処理能力を有することができる処理回路３３１８をさらに備える。特に、処理回路３３１８は、１つまたは複数のプログラマブルプロセッサ、特定用途向け集積回路、フィールドプログラマブルゲートアレイ、またはインストラクションを実行するように適合されたこれらの組合せ（図示せず）を備えることができる。ホストコンピュータ３３１０は、ホストコンピュータ３３１０に格納されるか、またはホストコンピュータ２０１０によってアクセス可能であり、処理回路３３１８によって実行可能なソフトウェア３３１１をさらに備える。ソフトウェア３３１１は、ホストアプリケーション３３１２を含む。ホストアプリケーション３３１２は、ＵＥ３３３０およびホストコンピュータ３３１０で終端するＯＴＴ接続３３５０を介して接続するＵＥ３３３０などのリモートユーザにサービスを提供するように動作可能であってもよい。リモートユーザにサービスを提供する際に、ホストアプリケーション３３１２は、ＯＴＴ接続３３５０を使用して送信されるユーザデータを提供することができる。
【０１０９】
通信システム３３００は、通信システム内に設けられ、ホストコンピュータ３３１０およびＵＥ３３３０と通信することを可能にするハードウェア３３２５を備える基地局３３２０をさらに含む。ハードウェア３３２５は、通信システム３３００の異なる通信デバイスのインタフェースとの有線または無線接続をセットアップおよび維持するための通信インタフェース３３２６と、基地局３３２０によって担当されるカバレッジエリア（図９には示されていない）内に位置するＵＥ３３３０との少なくとも無線接続３３７０をセットアップおよび維持するための無線インタフェース３３２７とを含み得る。通信インタフェース３３２６は、ホストコンピュータ３３１０への接続３３６０を容易にするように構成することができる。接続３３６０は、直接的であってもよく、電気通信システムのコアネットワーク（図９には示されていない）を通過してもよく、および／または電気通信システムの外部の１つ以上の中間ネットワークを通過してもよい。図示の実施形態では、基地局３３２０のハードウェア３３２５はさらに、インストラクションを実行するように構成された１つ以上のプログラマブルプロセッサ、特定用途向け集積回路、フィールドプログラマブルゲートアレイまたはこれらの組み合わせ（図示せず）を含んでもよい処理回路３３２８をさらに含む。基地局３３２０はさらに、内部に格納された、または外部接続を介してアクセス可能なソフトウェア３３２１を有する。
【０１１０】
通信システム３３００は、既に参照したＵＥ３３３０をさらに含む。そのハードウェア３３３５は、ＵＥ３３３０が現在位置するカバレッジエリアを担当する基地局との無線接続３３７０をセットアップし、維持するように構成された無線インタフェース３３３７を含み得る。ＵＥ３３３０のハードウェア３３３５はさらに、インストラクションを実行するように構成された１つ以上のプログラマブルプロセッサ、特定用途向け集積回路、フィールドプログラマブルゲートアレイまたはこれらの組み合わせ（図示せず）を含んでもよい処理回路３３３８をさらに含む。ＵＥ３３３０は、ＵＥ３３３０に格納されるか、またはＵＥ３３３０によってアクセス可能であり、処理回路３３３８によって実行可能なソフトウェア３３３１をさらに備える。ソフトウェア３３３１は、クライアントアプリケーション３３３２を含む。クライアントアプリケーション３３３２は、ホストコンピュータ３３１０の支援により、ＵＥ３３３０を介して人間または非人間のユーザにサービスを提供するように動作可能であってもよい。ホストコンピュータ３３１０では、実行中のホストアプリケーション３３１２は、ＵＥ３３３０およびホストコンピュータ３３１０で終端するＯＴＴ接続３３５０を介して実行中のクライアントアプリケーション３３３２と通信することができる。ユーザにサービスを提供する際に、クライアントアプリケーション３３３２はホストアプリケーション３３１２から要求データを受信し、要求データに応答してユーザデータを提供することができる。ＯＴＴ接続３３５０は、要求データとユーザデータの両方を転送することができる。クライアントアプリケーション３３３２は、ユーザと対話して、それが提供するユーザデータを生成することができる。
【０１１１】
図９に示されるホストコンピュータ３３１０、基地局３３２０、およびＵＥ３３３０は、それぞれ、図８の、ホストコンピュータ３２３０、基地局３２１２ａ、３２１２ｂ、３２１２ｃのうちの１つ、およびＵＥ３２９１、３２９２のうちの１つと同一であり得ることに留意されたい。すなわち、これらのエンティティの内部動作は図９に示されるようなものであってもよく、独立して、周囲のネットワークトポロジは図８のものであってもよい。
【０１１２】
図９ではＯＴＴ接続３３５０を抽象的に描くことで、ホストコンピュータ３３１０とユーザ装置３３３０との間の基地局３３２０を介した通信を説明しており、これはいかなる中間デバイスも明示的に参照しておりおらず、これらのデバイスを介したメッセージの正確なルーティングも示していない。ネットワークインフラストラクチャはＵＥ３３３０から、またはホストコンピュータ３３１０を操作するサービスプロバイダから、またはその両方から隠すように構成され得るルーティングを決定し得る。ＯＴＴ接続３３５０がアクティブである間、ネットワークインフラストラクチャは（例えば、負荷分散の考慮またはネットワークの再構成に基づいて）ルーティングを動的に変更する決定をさらに行うことができる。
【０１１３】
ＵＥ３３３０と基地局３３２０との間の無線接続３３７０は、本開示全体にわたって説明される実施形態の教示に従う。様々な実施形態のうちの１つまたは複数は、無線接続３３７０が最後のセグメントを形成するＯＴＴ接続３３５０を使用して、ＵＥ３３３０に提供されるＯＴＴサービスの性能を改善する。より正確には、これらの実施の形態の教示は、データレート、レイテンシ、電力消費を改善し、それにより、ユーザ待機時間の低減、ファイルサイズに対する制限の緩和、応答性の向上、電池のもちの延長などのＯＴＴサービスにおける利点を提供することができる。
【０１１４】
１つまたは複数の実施形態が改善するデータレート、待ち時間、および他の要因を監視する目的で、測定手順を提供することができる。さらに、測定結果の変動に応答して、ホストコンピュータ３３１０とＵＥ３３３０との間のＯＴＴ接続３３５０を再構成するためのオプションのネットワーク機能があってもよい。測定手順および／またはＯＴＴ接続３３５０を再構成するためのネットワーク機能は、ホストコンピュータ３３１０のソフトウェア３３１１、またはＵＥ３３３０のソフトウェア３３３１、またはその両方において実装され得る。実施形態では、センサ（図示せず）は、ＯＴＴ接続３３５０が通過する通信デバイスに配備されるか、またはそれに関連して配備されてもよく、センサは上で例示された監視量の値を供給することによって、または他の物理量の値を供給することによって、測定手順に参加することができ、ソフトウェア３３１１、３３３１は他の物理量から監視量を計算または推定することができる。ＯＴＴ接続３３５０の再構成はメッセージフォーマット、再送信設定、好ましいルーティングなどを含むことができ、再構成は、基地局３３２０に影響を及ぼす必要はなく、基地局３３２０には知られていないか、または知覚できないことがある。このような手順および機能は当技術分野で公知であり、実装可能である。ある実施形態では、測定は、スループット、伝搬時間、待ち時間などのホストコンピュータ３３１０の測定を容易にする独自のＵＥシグナリングを含むことができる。測定は、ソフトウェア３３１１、３３３１が伝搬時間、エラーなどを監視しながら、ＯＴＴ接続３３５０を使用して、メッセージ、特に空または「ダミー」メッセージ、が送信されるようにすることによって実施することができる。
【０１１５】
図１０は、一実施形態による、通信システムにおいて実施される方法を示すフローチャートである。通信システムは、ホストコンピュータ、ＡＰ  ＳＴＡなどの基地局、および非ＡＰ  ＳＴＡなどのＵＥを含み、これらは図８および図９を参照して説明したものであってもよい。本開示を簡単にするために、図１０に対する図面参照のみがこのセクションに含まれる。本方法の第１の動作３４１０において、ホストコンピュータはユーザデータを提供する。第１の動作３４１０の任意選択のサブ動作３４１１において、ホストコンピュータは、ホストアプリケーションを実行することによってユーザデータを提供する。第２の動作３４２０において、ホストコンピュータは、ＵＥに対するユーザデータを搬送する送信を開始する。任意選択の第３の動作３４３０において、基地局は、本開示全体にわたって説明される実施形態の教示に従って、ホストコンピュータが開始した送信において搬送されたユーザデータをＵＥに送信する。任意選択の第４の動作３４４０において、ＵＥは、ホストコンピュータによって実行されるホストアプリケーションに関連するクライアントアプリケーションを実行する。
【０１１６】
図１１は、一実施形態による、通信システムにおいて実施される方法を示すフローチャートである。通信システムは、ホストコンピュータ、ＡＰ  ＳＴＡなどの基地局、および非ＡＰ  ＳＴＡなどのＵＥを含み、これらは図８および図９を参照して説明したものであってもよい。本開示を簡単にするために、図１１に対する図面参照のみがこのセクションに含まれる。本方法の第１の動作３５１０において、ホストコンピュータはユーザデータを提供する。任意選択のサブ動作（図示せず）では、ホストコンピュータがホストアプリケーションを実行することによってユーザデータを提供する。第２の動作３５２０において、ホストコンピュータは、ＵＥに対するユーザデータを搬送する送信を開始する。送信は、本開示全体にわたって説明される実施形態の教示に従って、基地局を介して渡され得る。任意選択の第３の動作３５３０において、ＵＥは、送信において搬送されたユーザデータを受信する。
【０１１７】
図１２は、一実施形態による、通信システムにおいて実施される方法を示すフローチャートである。通信システムは、ホストコンピュータ、ＡＰ  ＳＴＡなどの基地局、および非ＡＰ  ＳＴＡなどのＵＥを含み、これらは図８および図９を参照して説明したものであってもよい。本開示を簡単にするために、図１２に対する図面参照のみがこのセクションに含まれる。本方法の任意選択の第１の動作３６１０において、ＵＥは、ホストコンピュータによって提供される入力データを受信する。追加的にまたは代替的に、オプションの第２の動作３６２０において、ＵＥは、ユーザデータを提供する。第２の動作３６２０の任意選択のサブ動作３６２１において、ＵＥは、クライアントアプリケーションを実行することによってユーザデータを提供する。第１の動作３６１０のさらなる任意選択のサブ動作３６１１において、ＵＥは、ホストコンピュータによって提供された受信入力データに応答してユーザデータを提供するクライアントアプリケーションを実行する。ユーザデータを提供する際に、実行されるクライアントアプリケーションは、ユーザから受け取ったユーザ入力をさらに考慮することができる。ユーザデータが提供された特定の方法にかかわらず、ＵＥは、任意の第３のサブ動作３６３０において、ホストコンピュータへのユーザデータの送信を開始する。本方法の第４の動作３６４０において、ホストコンピュータは、本開示全体にわたって説明される実施形態の教示に従って、ＵＥから送信されたユーザデータを受信する。
【０１１８】
図１３は、一実施形態による、通信システムにおいて実施される方法を示すフローチャートである。通信システムは、ホストコンピュータ、ＡＰ  ＳＴＡなどの基地局、および非ＡＰ  ＳＴＡなどのＵＥを含み、これらは図８および図９を参照して説明したものであってもよい。本開示を簡単にするために、図１３に対する図面参照のみがこのセクションに含まれる。方法の任意選択の第１の動作３７１０では、本開示全体にわたって説明される実施形態の教示に従って、基地局はＵＥからユーザデータを受信する。任意選択の第２の動作３７２０では、基地局は、受信したユーザデータのホストコンピュータへの送信を開始する。第３の動作３７３０において、ホストコンピュータは、基地局によって開始された送信において搬送されたユーザデータを受信する。
【０１１９】
語「ｃｏｍｐｒｉｓｅ」や「ｃｏｍｐｒｉｓｉｎｇ」を用いる場合、それは非限定的なものとして、すなわち「ｃｏｎｓｉｓｔ  ａｔ  ｌｅａｓｔ  ｏｆ」を意味するものとして解釈されるべきである。
【０１２０】
本明細書の実施の形態は上述の好適な実施の形態に限られない。種々の代替、変更および等価物が用いられてもよい。
【０１２１】
略記        説明
ＴＡ        タイミングアドバンス
ＣＥ        カバレッジエンハンスメント
ＩｏＴ      物のインターネット化
ＤＬ／ＵＬ  ダウンリンク／アップリンク
【図１】
2020530221.tif 000004
【図２】
2020530221.tif 000005
【図３】
2020530221.tif 000006
【図４】
2020530221.tif 000007
【図５】
2020530221.tif 000008
【図６】
2020530221.tif 000009
【図７】
2020530221.tif 000010
【図８】
2020530221.tif 000011
【図９】
2020530221.tif 000012
【図１０】
2020530221.tif 000013
【図１１】
2020530221.tif 000014
【図１２】
2020530221.tif 000015
【図１３】
2020530221.tif 000016
【国際調査報告】
2020530221.tif 000017
2020530221.tif 000018
2020530221.tif 000019